(57)【特許請求の範囲】
【請求項１】
長尺の現像済み写真フイルムを搬送し、該写真フイルムに光源から照明光を照射しながら各コマの透過画像をラインセンサを介して読み取り、該ラインセンサから画像信号を出力するようにしたフイルム画像入力方法において、
前記ラインセンサによる１コマの画像読取終了後、一定の時間内に所定の操作が行われない場合には、前記光源による照明位置が一箇所に集中しないように前記写真フイルムを１つのコマ領域全域にわたって低速で動かし続けることを特徴とするフイルム画像入力方法。
【請求項２】
長尺の現像済み写真フイルムを搬送し、該写真フイルムに光源から照明光を照射しながら各コマの透過画像をラインセンサを介して読み取り、該ラインセンサから画像信号を出力するようにしたフイルム画像入力方法において、
前記ラインセンサによる１コマの画像読取終了後、一定の時間内に所定の操作が行われない場合には、前記ラインセンサによる画像読取位置が前記写真フイルムの先端側のリーダ部又は後端側の最終コマ以降の領域となるように前記写真フイルムを搬送して停止させ、
その後、前記写真フイルムを挟持して搬送するキャプスタンとピンチローラとの圧着を解除することを特徴とするフイルム画像入力方法。
【請求項３】
長尺の現像済み写真フイルムを搬送し、該写真フイルムに光源から照明光を照射しながら各コマの透過画像をラインセンサを介して読み取り、該ラインセンサから画像信号を出力するようにしたフイルム画像入力方法であって、前記写真フイルムの各コマに対応して穿設されたパーフォレーションをパーフォレーションセンサによって検出することによりコマ検出及び１コマの画像読取を開始させるフイルム画像入力方法において、
前記ラインセンサによる１コマの画像読取終了後、一定の時間内に所定の操作が行われない場合には、前記パーフォレーションセンサがコマの中央付近に来るように前記写真フイルムを移動させ、
その後、前記写真フイルムを挟持して搬送するキャプスタンとピンチローラとの圧着を解除することを特徴とするフイルム画像入力方法。
【請求項４】
前記パーフォレーションセンサがコマの中央付近に来るように前記写真フイルムを移動させた後、前記キャプスタンとピンチローラとの圧着を解除する前に、前記写真フイルムに形成された磁気記録層に磁気情報を記録再生する磁気ヘッドで該写真フイルムを押圧することを特徴とする請求項３のフイルム画像入力方法。
【発明の詳細な説明】
【技術分野】
【０００１】
本発明はフイルム画像入力方法に係り、特に現像済み写真フイルムのコマ画像をラインセンサで読み取り、取り込んだコマ画像に基づいて画像信号を処理するフイルムスキャナにおけるフイルムの褪色防止及びキャプスタン変形を防止するフイルム画像入力方法に関する。
【背景技術】
【０００２】
長尺状の現像済み写真フイルムを搬送しながら該写真フイルムに光源からの照明光を照射し、照射された写真フイルムのコマの透過画像をＣＣＤ等のラインセンサで撮像して透過画像を画像信号に変換し、これをモニタＴＶに出力してコマ画像を表示するフイルム画像入力方法は、特許文献１、特許文献２、特許文献３等において公知である。
【特許文献１】特開平２−２７６３６２号公報
【特許文献２】特開平４−３１１９４０号公報
【特許文献３】実開平４−４４５６号公報
【発明の開示】
【発明が解決しようとする課題】
【０００３】
しかしながら、従来のフイルム画像入力方法は、ラインセンサによる１コマの透過画像取り込みが終了すると、写真フイルムは次のコマの透過画像取り込み開始までその位置で一旦停止しているので、この状態で長時間操作が行われないと、取り込みが終了したコマの後端部分が照明光に長時間晒されることになり、その部分の画像が赤外領域外の可視光領域の光線によって褪色するという欠点がある。
【０００４】
また、従来のフイルム画像入力装置は、フイルムをピンチローラとキャプスタンとで挟持して搬送する機構を有し、このフイルム駆動用ローラは通常ゴム等の材質で形成されている。従って、キャプスタンとピンチローラとの圧着状態が長時間継続されると、ローラが変形するという問題がある。
【０００５】
本発明は、このような事情に鑑みて成されたもので、透過画像取り込み終了後、長時間操作が行われない場合に、フイルムの褪色を防止するとともにフイルム駆動用ローラの変形を防止することができるフイルム画像入力方法を提供することを目的とする。
【課題を解決するための手段】
【０００６】
請求項１に係る発明は前記目的を達成するために、長尺の現像済み写真フイルムを搬送し、該写真フイルムに光源から照明光を照射しながら各コマの透過画像をラインセンサを介して読み取り、該ラインセンサから画像信号を出力するようにしたフイルム画像入力方法において、前記ラインセンサによる１コマの画像読取終了後、一定の時間内に所定の操作が行われない場合には、前記光源による照明位置が一箇所に集中しないように前記写真フイルムを１つのコマ領域全域にわたって低速で動かし続けることを特徴としている。
【０００７】
請求項１に係る発明によれば、現像済み写真フイルムの搬送停止後、一定の時間経過しても所定の操作が施されない場合には、前記光源による照明位置が一箇所に集中しないように前記写真フイルムを１つのコマ領域全域にわたって低速で動かし続けている。褪色は濃度変化が１コマ中で均等ならば視認できないので、１コマの全域にわたって均等に褪色が進行するように、照明光を写真フイルムに照射しつつ、１コマ領域内で写真フイルムをゆっくり動かし続けている。これにより、写真フイルムの褪色の影響を回避すると共に、写真フイルムを挟持するキャプスタンとピンチローラの押圧力が集中しないので、ローラの局部的変形を防止するとができる。尚、上記低速とは、透過画像取り込み速度よりも遅い速度をいう。また本発明は、写真フイルムの規格上コマとコマとの間に未露光エリアがない場合或いは極めて狭い場合に、特に有効である。
【０００８】
また、請求項２に係る発明は、長尺の現像済み写真フイルムを搬送し、該写真フイルムに光源から照明光を照射しながら各コマの透過画像をラインセンサを介して読み取り、該ラインセンサから画像信号を出力するようにしたフイルム画像入力方法において、前記ラインセンサによる１コマの画像読取終了後、一定の時間内に所定の操作が行われない場合には、前記ラインセンサによる画像読取位置が前記写真フイルムの先端側のリーダ部又は後端側の最終コマ以降の領域となるように前記写真フイルムを搬送して停止させ、その後、前記写真フイルムを挟持して搬送するキャプスタンとピンチローラとの圧着を解除することを特徴としている。
【０００９】
請求項２に係る発明によれば、前記ラインセンサによる画像読取位置が前記写真フイルムの先端側のリーダ部又は後端側の最終コマ以降の領域となるように前記写真フイルムを搬送して停止させ、その後、前記写真フイルムを挟持して搬送するキャプスタンとピンチローラとの圧着を解除することにより、キャプスタンとピンチローラの圧着状態が長時間継続されないようにしたので、写真フイルムのコマ部について照明光による褪色を回避できるとともに、フイルム駆動用ローラが変形するのを防止することができる。
【００１０】
更に前記目的を達成するために請求項３に係る発明は、長尺の現像済み写真フイルムを搬送し、該写真フイルムに光源から照明光を照射しながら各コマの透過画像をラインセンサを介して読み取り、該ラインセンサから画像信号を出力するようにしたフイルム画像入力方法であって、前記写真フイルムの各コマに対応して穿設されたパーフォレーションをパーフォレーションセンサによって検出することによりコマ検出及び１コマの画像読取を開始させるフイルム画像入力方法において、前記ラインセンサによる１コマの画像読取終了後、一定の時間内に所定の操作が行われない場合には、前記パーフォレーションセンサがコマの中央付近に来るように前記写真フイルムを移動させ、その後、前記写真フイルムを挟持して搬送するキャプスタンとピンチローラとの圧着を解除することを特徴としている。
【００１１】
請求項３に係る発明によれば、一定の時間内に所定の操作が施されない場合に、パーフォレーションセンサがコマの中央付近に来るように写真フイルムを移動し、その後、前記写真フイルムを挟持して搬送するキャプスタンとピンチローラとの圧着を解除している。キャプスタンとピンチローラの圧着が解除されると前記写真フイルムはフリーとなるが、万一写真フイルムが移動したとしても、パーフォレーションセンサはコマの中央付近にあるので、コマ画像読み取り開始位置となるパーフォレーションをミスカンウントするには至らない。
【００１２】
請求項４に係る発明は、請求項３のフイルム画像入力方法において、前記パーフォレーションセンサがコマの中央付近に来るように前記写真フイルムを移動させた後、前記キャプスタンとピンチローラとの圧着を解除する前に、前記写真フイルムに形成された磁気記録層に磁気情報を記録再生する磁気ヘッドで該写真フイルムを押圧することを特徴としている。
【００１３】
請求項３に係る発明において更に、キャプスタンとピンチローラの圧着を解除する前に前記写真フイルムに形成された磁気記録層に磁気情報を記録再生する磁気ヘッドで該写真フイルムを押圧することにより、ミスカウント防止が更に確実になる。これにより再操作の際に、適正なパーフォレーションカウントが保証される。
【００１４】
また本発明は、単一のスプールを有するフイルムカートリッジから送り出され又はフイルムカートリッジ内に巻き戻される写真フイルムを用い、操作が施されない時間の程度に応じて、カートリッジから引き出されている写真フイルムを一旦巻き戻して、カートリッジに格納して待機の程度を段階的に厳重にすることにより、写真フイルムの褪色を防止及びローラの変形を防止を強化することも可能である。
【発明の効果】
【００１５】
本発明に係るフイルム画像入力方法によれば、本発明に係るフイルム画像入力方法によれば、上記写真フイルムの搬送停止後、一定の時間経過しても所定の操作が施されない場合には、前記光源による照明位置が一箇所に集中しないように前記写真フイルムを１つのコマ領域全域にわたって低速で動かし続けるようにしたので、褪色は１箇所に集中せず、褪色の影響を回避できると共に、ローラの局部的変形を防止するとができる。特に、写真フイルムの規格上、コマとコマとの間に未露光エリアがない場合或いは極めて狭い場合に有効である。
【００１６】
また、本発明の他の態様によれば、ラインセンサによる１コマの画像読取終了後、一定の時間内に所定の操作が行われない場合には、前記ラインセンサによる画像読取位置が前記写真フイルムの先端側のリーダ部又は後端側の最終コマ以降の領域となるように前記写真フイルムを搬送して停止させ、その後、前記写真フイルムを挟持して搬送するキャプスタンとピンチローラとの圧着を解除することにより、キャプスタンとピンチローラの圧着状態が長時間継続されないようにしたので、写真フイルムのコマ部について照明光による褪色を回避できるとともに、フイルム駆動用ローラが変形するのを防止することができる。
【００１７】
また、本発明の更に他の態様によれば、ラインセンサによる１コマの画像読取終了後、一定の時間内に所定の操作が行われない場合には、前記パーフォレーションセンサがコマの中央付近に来るように前記写真フイルムを移動させ、その後、前記写真フイルムを挟持して搬送するキャプスタンとピンチローラとの圧着を解除するようにしたので、再操作の際に、適正なパーフォレーションカウントを保証しつつ、フイルム駆動用ローラが変形するのを防止することができる。
【００１８】
更にまた、操作が施されない時間の程度に応じて、更にカートリッジから引き出されている写真フイルムを一旦巻き戻して、カートリッジに格納して待機の程度を段階的に厳重にすることにより、写真フイルムの褪色を防止及びローラの変形を防止を強化することも可能である。
【００１９】
尚、上記構成を組み合わせることにより、操作が施されない時間の長さに応じて、待機の程度を段階的に強化することが可能である。また、光源を減光、若しくは消灯する場合は、機器の光源管の寿命が延びるという別の効果もある。そして、一定時間操作がなく、ラインセンサの読み取り条件の取得（プリスキャン）から１コマの高精度画像の取得（本スキャン）までの時間が長くなった場合の光量変動による画質低下を防ぐことができるという効果もある。
【発明を実施するための最良の形態】
【００２０】
以下添付図面に従って本発明に係るフイルム画像入力方法の好ましい実施の形態について詳説する。
【００２１】
図１は本発明に係るフイルム画像入力方法が適用されたフイルム画像入力装置の実施形態を示す構造図である。同図に示すようにフイルム画像入力装置１０は、主として照明用の蛍光管１２、撮影レンズ１４、ＣＣＤラインセンサ１６を含むＣＣＤ回路ユニット１８、フイルム駆動メカ２０、及びＣＰＵ２２等から構成されている。
【００２２】
このフイルム画像入力装置１０に使用される現像済み写真フイルムＦは、図２に示すように各コマの位置を示すパーフォレーション１０１、１０３が穿設されるとともに、写真フイルム全面又は縁部に磁気記録層１０４が形成されており、単一のスプール１１２を有するフイルムカートリッジ１１０に巻回されている。  前記磁気記録層１０４には磁気ヘッドを有するカメラによってコマ毎に撮影データ等を示す磁気データが記録できるようになっている。また、現像処理された上記写真フイルムＦはフイルムカートリッジ１１０に巻き取られて、これにより保管できるようになっている。
【００２３】
蛍光管１２は、その長手方向が写真フイルムＦの搬送方向と直交するように配設され、写真フイルムＦの全幅にわたって照明できるようになっている。前記蛍光管１２は、ガイド部材２８に形成されたスリット（撮影窓）２８Ａの上方で写真フイルムＦの搬送方向と直交する方向に配置され、撮影窓２８Ａ内を通過する写真フイルムＦのコマＰ（図２参照）の画像を赤外線カットフイルタ３４を介して照明する。
【００２４】
前記撮影窓２８Ａの幅Ｔは、図２に示す写真フイルムＦのコマＰとコマＰとの間隔ｔよりも狭く形成されて、蛍光管１２からの照明光が前記間隔ｔよりも狭い範囲に照射されるようになっている。
【００２５】
また、蛍光管１２は光源用インバータ３５を介してＣＰＵ２２と接続されており、ＣＰＵ２２からの信号を受けて通常発光／減光／消灯と制御される。
【００２６】
一方、コマＰを透過した画像光は、下ガイド部材３７に形成された撮影窓３７Ａから単焦点の撮影レンズ１４を介してＣＣＤラインセンサ１６の受光面に結像される。ＣＣＤラインセンサ１６によるコマＰの透過画像取り込み中、写真フイルムＦはフイルム駆動メカ２０によって一定の速度で矢印Ａ方向に搬送されるが、この写真フイルムの駆動については後述する。
【００２７】
ＣＣＤラインセンサ１６はフイルム給送方向と直交する方向に配設されている。そしてＣＣＤラインセンサ１６の受光面に結像された画像光はＲ，Ｇ，Ｂフィルタを有する各センサで所定時間電荷蓄積され、光の強さに応じた量のＲ，Ｇ，Ｂの信号電荷に変換される。このようにして蓄積された信号電荷は、ＣＣＤ駆動回路から加えられる所定周期のリードゲートパルスによってシフトレジスタに読み出され、レジスタ転送パルスによって順次読み出される。
【００２８】
前記ＣＣＤラインセンサ１６から読み出された信号電荷は、ＣＤＳクランプによってクランプされてＲ、Ｇ、Ｂ信号としてアナログ処理回路３８に加えられ、ここでＲ、Ｇ、Ｂ信号のゲイン等が制御される。アナログ処理回路３８から出力されるＲ、Ｇ、Ｂ信号は、Ａ／Ｄコンバータ３９によってデジタル信号に変換されたのち、メモリコントローラ４０を介してフレームメモリ４２、若しくはＣＰＵ２２のＲＡＭ（ランダム・アクセス・メモリ）４４にメモリされる。
【００２９】
前記フレームメモリ４２にメモリされた各コマＰの１コマ分の情報は、メモリコントローラ４０によって読み出され、そして、Ｄ／Ａコンバータ４６によってアナログ信号に変換されると共に、エンコーダ４８によって映像信号に変換されてモニタＴＶ５０に出力される。
【００３０】
フイルム駆動メカ２０は、フイルムカートリッジ１１０のスプール１１２と係合し、そのスプール１１２を正転／逆転駆動するフイルム供給部（不図示）と、このフイルム供給部から送り出される写真フイルムＦを巻き取るフイルム巻取部８４と、フイルム搬送路に配設されるキャプスタン５２とピンチローラ５４等から構成される。フイルム駆動メカ２０は、ＣＰＵ２２から出力される駆動信号によって制御されており、写真フイルムＦをキャプスタン５２とピンチローラ５４とで挟持して所定の速度で搬送する。
【００３１】
キャプスタン圧着メカ５６はＣＰＵ２２からの制御信号を受けてキャプスタン５２の圧着／退避を駆動する。
【００３２】
また、一対のフォトディテクタ６２、６４が前記ガイド部材３７に形成された撮影窓３７Ａに配置されるとともに、撮影光軸６５に対して対称位置に取り付けられている。前記フォトディテクタ６２、６４は、図２に示す写真フイルムＦのコマＰの終端に穿設されたパーフォレーション１０１と、そのコマＰの後方に位置するコマＰの始端に穿設されたパーフォレーション１０３との間隔ｂと等しい間隔Ｂで配置され、パーフォレーション１０１、１０３を非接触で検出し、その検出した信号を波形整形回路７０を介してＣＰＵ２２に出力することができる。
【００３３】
そしてＣＰＵ２２は、上記検出信号に基づいて、ＣＣＤラインセンサ１６による画像情報の読み取りタイミングを制御している。
【００３４】
フォトディテクタ７２は、前記フォトディテクタ６４と距離Ｃだけ離間した位置に磁気ヘッド７４と対向して配設されており、パーフォレーション１０１、１０３を非接触で検出し、その検出した信号を波形整形回路７０を介してＣＰＵ２２に出力することができる。尚、前記距離Ｃは写真フイルムの一つのコマの始端及び終端の両パーフォレーション間距離の半分の長さである（図２参照）。そして、ＣＰＵ２２では、上記パーフォレーション検出信号に基づいて、磁気ヘッド７４による磁気データの記録再生タイミングを制御している。
【００３５】
磁気ヘッド７４は、図示しない磁気記録再生装置を介して写真フイルムＦの磁気トラック１０４に記録されている磁気データを読み取る一方、ＣＰＵ２２のＲＡＭ４４に記録された磁気情報を写真フイルムＦの磁気トラック１０４に記録する。
【００３６】
磁気ヘッド圧着メカ７６はＣＰＵ２２と接続され、ＣＰＵ２２からの駆動信号を受けて前記磁気ヘッド７４を写真フイルムＦに対して圧着／退避駆動する。
【００３７】
ＣＰＵ２２はタイマＴＭ１、タイマＴＭ２及びＲＡＭ４４を含み、ＣＣＤ回路ユニット１８からの画像信号を適宜処理するとともに、光源用インバータ３５、キャプスタン圧着メカ５６等を制御する信号を出力する。ＣＰＵ２２には、キー操作パネル８０及び液晶表示パネル８２が接続されており、該キー操作パネル８０及び液晶表示パネル８２を介して外部から各種入力が可能である。
【００３８】
タイマＴＭ１、ＴＭ２は、前記キー操作パネル８０を用いてフイルム画像入力装置１０のシステムに所定の操作が施された場合に共にクリアされる。尚、タイマの設定時間（タイムアウト時間）はタイマＴＭ２＞タイマＴＭ１であり、例えばタイマＴＭ１の設定時間は５分、タイマＴＭ２の設定時間は６０分とする。また、前記所定の操作とは、例えば、マニュアルによる１コマ再生の指令、コマ送り操作の指令、フレーム縦横情報やトリミングなど各種再生情報の入力・編集の指令、又はプリント注文等の操作指令をいう。
【００３９】
次に、前記フイルム画像入力装置１０のＣＰＵ２２による制御方法について説明する。
【００４０】
図１のフイルム画像入力装置１０にフイルムカートリッジ１１０が装着されると、前記フイルムカートリッジ１１０に収納された写真フイルムＦは、図示しないモータの駆動力でカートリッジ１１０から送り出される。その後、キャプスタン５２とピンチローラ５４とで挟持されて、上下のガイド部材２８、３７間に沿って搬送され、前記蛍光管１２と撮影レンズ１４との間を通過した後、巻取室８４の巻取スプール８５に係着される。
【００４１】
続いて、蛍光管１２を点灯し、照明光の光量の安定を待つ。照明光の光量が安定した後、フイルム駆動メカ２０を駆動して写真フイルムＦをフイルムカートリッジ１１０から矢印Ａ方向に搬送し、写真フイルムＦの１コマ目の透過画像取り込みを開始する。即ち、１コマ目の始端が撮影光軸６５上を通過する直前にＣＣＤラインセンサ１６を駆動して、撮影光軸６５上を通過するコマＰの透過画像をＣＣＤラインセンサ１６により取り込ませ、そして、１コマ目の終端が撮影光軸６５上を通過した直後にＣＣＤラインセンサ１６を停止する。
【００４２】
１コマ目の透過画像取り込みが終了すると、写真フイルムＦをフイルム駆動メカ２０によって継続して搬送する。そしてフォトディテクタ６２、６４から写真フイルムＦのパーフォレーション１０１、１０３を検出した信号が出力されると、フイルム駆動メカ２０を停止し、写真フイルムＦの搬送を一時停止する。
【００４３】
これにより、本実施例は、写真フイルムＦの停止時には、コマＰとコマＰとの間の略中間位置に蛍光管１２からの照明光が照射され、また、コマＰ、Ｐはガイド部材２８の撮影窓２８Ａによって遮光されているので、コマＰ、Ｐに蛍光管１２からの照明光は照射されない。
【００４４】
２コマ目以降のコマＰについても同様の動作を繰り返し行い、全てのコマＰの透過画像を取り込むことができる。
【００４５】
従って、本実施例によれば、１コマＰの透過画像取り込み終了時に蛍光管１２を点灯し続けても、照明光によるコマ画像の褪色を防止することができる。
【００４６】
ここで、あるコマで１コマの画像取り込みを終了し、写真フイルムＦを停止させた後、システムの操作を中断した場合を説明する。
【００４７】
タイマＴＭ１の設定時間（例えば５分）を経過しても、所定のキー入力による操作が施されない場合、タイマＴＭ１がタイムアウトし、以下の手順が実行される。
【００４８】
〔１〕先ず蛍光管１２を減光する。これにより写真フイルムＦに照射される光量を減少させて、写真フイルムＦの褪色を抑制することができる。
【００４９】
〔２〕次に、フォトディテクタ７２がパーフォレーション１０３を検出するまで写真フイルムＦをゆっくりと送り、前記フォトディテクタ７２がパーフォレーション１０３を検出したら写真フイルムＦを停止する。この停止状態ではフォトディテクタ６２、６４がコマの中央付近に来る。
【００５０】
〔３〕続いて、磁気ヘッド圧着メカ７６を介して磁気ヘッド７４を写真フイルムＦに圧着して、
〔４〕キャプスタン圧着メカ５６を介してキャプスタン５２を写真フイルムＦから退避させる。
【００５１】
通常、キャプスタン５２の圧着を解除して写真フイルムＦから退避すると、写真フイルムＦの挟持状態が解除されてフリーとなり、カトリッジ１１０や巻き取りリール８５のバックテンションによって写真フイルムＦが任意に数ｍｍ程度移動してしまい、再動作させるときにパーフォレーション１０１、１０３をミスカウントするおそれがある。上記手順は、かかる写真フイルムＦの移動を想定し、予めパーフォレーションのカウントに影響しない位置に写真フイルムＦを移動させるとともに、磁気ヘッド７４を写真フイルムＦに押しつけて写真フイルムＦの移動を妨げるものである。
【００５２】
さて、この状態で、キー入力により再操作が行われた場合は、以下の手順が実行される。即ち、
〔５〕蛍光管１２を通常発光に点灯する。
【００５３】
〔６〕キャプスタン圧着メカ５６を介してキャプスタン５２を写真フイルムＦに圧着する。
【００５４】
〔７〕磁気ヘッド７４を写真フイルムＦから退避させる。
【００５５】
〔８〕蛍光管１２の光量安定を待ち、光量が安定後に、通常の操作に移行する。尚、蛍光管１２は完全に消灯していなかったので、光量の安定までの時間が短縮される。
【００５６】
一方、上記〔４〕の状態で、更にタイマＴＭ２の設定時間（例えば６０分）を経過しても、キー入力による所定の操作が施されない場合は、タイマＴＭ２がタイムアウトし、待機の程度を更に厳重する為に以下の手順が実行され、スタンバイモードへ移行する。尚、下記スタンバイモードに移行する前に、ユーザに移行の可否を確認する段階を経てもよい。
【００５７】
〔９〕蛍光管１２を完全に消灯する。これにより写真フイルムＦのコマの中央付近を照射していた光がなくなり、写真フイルムＦの褪色の進行を回避することができる。
【００５８】
〔１０〕その後、写真フイルムＦをカートリッジ１１０に格納するために、キャプスタン圧着メカ５６を介してキャプスタン５２を写真フイルムＦに圧着する。
【００５９】
〔１１〕更に、写真フイルムＦの移動を防止していた磁気ヘッド７４を写真フイルムＦから退避させる。
【００６０】
〔１２〕写真フイルムＦを巻き戻してカートリッジ１１０に格納し、格納完了後キャプスタン５２を退避させる。尚、磁気データが変更されている場合は、前記写真フイルムＦの巻戻しの際に磁気データの書き込みを行うことにする。
【００６１】
さて、このスタンバイモード状態でキー入力により再操作が行われた場合、フイルム装填時と全く同様なシーケンス（下記〔１３〕乃至〔１７〕）を実行した後に、指定された動作を行う。
【００６２】
即ち、
〔１３〕蛍光管１２を通常発光に点灯する。
【００６３】
〔１４〕フイルムをローディングする。
【００６４】
〔１５〕キャプスタン圧着メカ５６を介してキャプスタン５２を写真フイルムＦに圧着する。
【００６５】
〔１６〕蛍光管１２の光量安定を待ち、
〔１７〕光量の安定後に、全コマの画像を示すインデックス画像を低精度で読み取るとともに各コマの撮影条件を検知するプリスキャンを実行する。
【００６６】
〔１８〕そして、指定された動作を実行する。
【００６７】
ところで、上記スタンバイモード状態〔１２〕で更にキー入力による操作がなく、イジェクトが指令された場合には、既に磁気データ情報のリライトは済んでいるので、イジェクト指令に伴う通常の磁気データのライトシーケンスを省略して、そのままイジェクトを実行する。
【００６８】
上記実施形態に限らず、一定時間操作がない場合に、写真フイルムＦをフレーム部（コマ部）以外の部分に退避させることも考えられる。例えば、写真フイルムＦ先端側のリーダ部又は最終コマよりも後方部分の領域の何れかに退避させるように決めておいてもよいし、現在のフイルム位置から退避するのにより近い方を判断して、前記両者の何れかに退避させてもよい。
【００６９】
また、本実施形態では、フォトディテクタ６２、６４、７２によって、写真フイルムの停止位置を検出するようにしたが、これに限られるものではなく、他の検出手段で検出するようにしてもよい。
【００７０】
尚、写真フイルムの褪色防止並びにローラの変形防止の方法として、上記以外に有効と思われる方法を以下に説明する。
【００７１】
光源の蛍光管１２と写真フイルムＦの間に図示しないメカニカルシャッタ若しくは液晶シャッタを設け、写真フイルムＦの画像撮像時のみ該シャッタを開き、それ以外はシャッタを閉じておき、写真フイルムＦに余計な光源光を照射しないようにする。これにより、写真フイルムの褪色を回避することが考えられる。
【００７２】
また、コマ画像の読み取り後に写真フイルムＦを完全に停止させずに、前記光源による照明位置が一箇所に集中しないように前記写真フイルムの１コマの領域全体にわたって、画像読み取り速度よりも遅い低速度でゆっくりと動かし続けるという方法も考えられる。この方法によれば、写真フイルムＦには、光源光が照射され続けるので写真フイルムの褪色は進行するが、該当するコマの全体にわたって濃度が均等に褪色するために、褪色が視認できない。従って、写真フイルムＦが停止した状態で一箇所が集中して褪色する場合に比べて、コマ画像への影響が少ない。
【００７３】
更に、キャプスタン５２及びピンチローラ５４が回転し続けているために、該ローラの局部的な変形を防止することができる。尚、上記方法は写真フイルムＦの規格上、コマとコマとの間に未露光エリアがない場合或いは極めて狭い場合に、特に有効である。
【００７４】
上記同様に、コマ画像の読み取り後に写真フイルムＦを完全に停止させずに、写真フイルムＦの全面に光源光を照射する方法も考えられる。写真フイルムＦの全体が均等に褪色すれば、褪色による影響を視認できないばかりでなく、コマ毎の褪色の度合いも均一化する。尚、この方法においては、写真フイルムに照射される光源の幅を制限するスリットは必ずしも必要でない。
【００７５】
その他、各コマの累積露光時間を磁気記録層１０４に記録しておき、累積露光時間が多いコマの上では、待機時に写真フイルムが停止又は停滞しないようにするという構成も考えられる。
【図面の簡単な説明】
【００７６】
【図１】本発明に係るフイルム画像入力方法が適用されたフイルム画像入力装置の実施例を示すブロック図
【図２】図１のフイルム画像入力装置に適用される写真フイルムの平面図
【符号の説明】
【００７７】
１０…フイルム画像入力装置
１２…蛍光管
１６…ＣＣＤラインセンサ
２０…フイルム駆動メカ
２２…ＣＰＵ
２８Ａ、３７Ａ…撮影窓
５０…モニタＴＶ
５２…キャプスタン
５４…ピンチローラ
６２、６４、７２…フォトディテクタ
７４…磁気ヘッド
１０１、１０３…パーフォレーション
ＴＭ１、ＴＭ２…タイマ
【図１】
0003676358.tif 000002
【図２】
0003676358.tif 000003